(57)【要約】【課題】本発明は、プレゼンテーションの途中で、聴取者が、注意または興味を引いた１つまたは複数の話題を選択でき、前記プレゼンテーションの直後または後刻に、前に選択された話題に関する情報にアクセスできるようにするシステムおよび方法を対象とする。【解決手段】本発明は、聴取者からの最小限の可能な努力およびかかわり（聴取者デバイスの選択ボタンを単純に押すこと）を必要とする。プレゼンテーションが終わった時に、聴取者は、選択された話題に関連する情報を直接に調べることができる。請求されるシステムは、同一の世界時による話者ワークステーションと聴取者のデバイスのローカル時間の同期化に基づき、その結果、興味のある話題の選択が聴取者によって行われた時刻を、話者によってプレゼンテーション・フォイルが提示されるタイム・インターバルと相関させることができるようになる。特定の実施形態で、話者ワークステーションと聴衆デバイスの間の同期化が、たとえば衛星システムに基づく、世界時を参照して行われる。
2005528702.tif 000002
【特許請求の範囲】
【請求項１】
１つまたは複数のフォイルのプレゼンテーション中に、１つまたは複数の聴取者によってアクセス可能なプレゼンテーション・タイム・テーブル（４０８）を話者デバイス（４０２）から生成する方法であって、
・１つまたは複数のフォイルを識別する手段（３０２）と、
・前記１つまたは複数のフォイルのそれぞれに関連する情報を突き止め、アクセスする手段（３０３）と、
・プレゼンテーション・タイム・テーブル（４０８）を突き止め、アクセスする手段（３０４）と
を含む、プレゼンテーション・ハイパーリンク・テーブル（３００）を突き止め、アクセスするステップと、
・プレゼンテーション・ハイパーリンク・テーブル（３００）を使用してプレゼンテーション・タイム・テーブル（４０８）を突き止め、アクセスする（１４０１）ステップと、    提示されるフォイルごとに、
・プレゼンテーション・ハイパーリンク・テーブル内で提示されるフォイルを識別し（１４０２）、
・前記フォイルの前記プレゼンテーションに対応する世界時インターバル（４０９）を判定し（１４０３）、
・前記プレゼンテーション・タイム・テーブル（４０８）に新しいレコードを作成し（１４０４）、
・前記新しいレコードに、
・前記提示されたフォイルに対応する世界時インターバル（５０１）と、
・前記プレゼンテーション・ハイパーリンク・テーブルから取り出される、前記提示されたフォイルを識別する（５０２）手段と、
・前記プレゼンテーション・ハイパーリンク・テーブルから取り出される、前記提示されたフォイルに関連する情報を突き止め・アクセスする（３０３）手段と
をコピーする（１４０５）ステップと
を含む方法。
【請求項２】
・好ましくは話者デバイス（４０２）内で、プレゼンテーション・ハイパーリンク・テーブル（３００）を作成する予備ステップと、
・前記プレゼンテーション・ハイパーリンク・テーブル（３００）内で、フォイルに関連する情報にアクセスできる１つまたは複数のサーバ（４０３）へのハイパーリンク（３０３）を定義する予備ステップと
を含む、請求項１に記載の方法。
【請求項３】
前記プレゼンテーション・ハイパーリンク・テーブル（３００）内で、フォイルに関連する情報にアクセスできる１つまたは複数のサーバ（４０３）へのハイパーリンク（３０３）を定義する前記ステップが、さらに、
・前記プレゼンテーション・ハイパーリンク・テーブル手段に、プレゼンテーション・タイム・テーブル（４０８）を突き止め、アクセスする（３０４）手段を割り当てるステップと、
・前記プレゼンテーション・ハイパーリンク・テーブル内、好ましくはヘッダ（３０５）内に、前記突き止め、アクセスする手段をコピーするステップと、
プレゼンテーションの新たに作成されるフォイルごとに、
・前記プレゼンテーション・ハイパーリンク・テーブル内で新しいレコードを作成し（１３０２）、
・前記レコード内で前記フォイルを識別する手段（３０２）を割り当て、コピーし（１３０３）、
・前記レコード内の前記フォイルに関連する情報を突き止め、アクセスする手段（３０３）を割り当て、コピーする（１３０４）ステップと
を含む、請求項１または２に記載の方法。
【請求項４】
・フォイルに関連する前記情報が、１つまたは複数のサーバ（４０３）に配置され、
・フォイルを識別する前記手段（３０２）が、名前または説明あるいはその両方を含み、
・フォイルに関連する情報を突き止め、アクセスする前記手段（３０３）が、ネットワーク内の宛先アドレスを含み、
・前記プレゼンテーション・タイム・テーブル（４０８）が、プレゼンテーション・サーバ（４０７）に配置され、
・前記プレゼンテーション・タイム・テーブル（４０８）を突き止め、アクセスする前記手段（３０４）が、ネットワーク（４０４）内の宛先アドレスを含む
請求項１ないし３のいずれか一項に記載の方法。
【請求項５】
フォイルに関連する情報が、前記フォイルのコピーを含む
請求項１ないし４のいずれか一項に記載の方法。
【請求項６】
・前記ネットワークが・インターネット・ネットワークであり、
・前記宛先アドレスが、Uniform Resource Locatorであり、
・フォイルに関連する情報が、ウェブ・ページであり、
・前記サーバが、ウェブ・サーバである
請求項１ないし５のいずれか一項に記載の方法。
【請求項７】
１つまたは複数の聴取者デバイスに、前記プレゼンテーション・タイム・テーブルを突き止め、アクセスする手段を送信するステップ
を含む、請求項１ないし６のいずれか一項に記載の方法。
【請求項８】
請求項１ないし７のいずれか一項に記載の方法を実行するように適合された手段を含む話者デバイス。
【請求項９】
請求項８に記載の前記話者デバイスで実行される時に請求項１ないし７のいずれか一項に記載の方法を実行する命令を含むコンピュータ・プログラム。
【請求項１０】
１つまたは複数のフォイルのプレゼンテーション内の１つまたは複数のフォイルを聴取者デバイス（６０１）から選択し、後刻に、前記１つまたは複数の選択されたフォイルのそれぞれに関連する情報にアクセスする方法であって、
・現在提示されているフォイルを選択する選択コマンドが受け取られるたびに、
・現在の世界時（６０６）を判定し（１５０６）、
・前記現在の世界時を選択タイム・テーブルに記録する（１５０７）ステップと、
・１つまたは複数の聴取者デバイスによってアクセス可能なプレゼンテーション・タイム・テーブル（８０２）であって、提示されるフォイルごとに、
・前記フォイルの提示に対応する世界時インターバル（５０１）と、
・前記提示されるフォイルを識別する手段（５０２）と、
・前記提示されるフォイルに関連する情報を突き止め、アクセスする手段（５０３）とを含むプレゼンテーション・タイム・テーブル（８０２）にアクセスする（１６０１）ステップと、
・前記選択タイム・テーブル（７００）に記録された世界時ごとに、
・前記記録された世界時に選択された前記フォイルを前記プレゼンテーション・タイム・テーブル内で識別し（１６０３）、
・前記プレゼンテーション・タイム・テーブルから、前記選択されたフォイルを識別する（５０２）前記手段および前記選択されたフォイルを突き止め、アクセスする（５０３）前記手段を取り出し（１６０４）、
・前記選択されたフォイルを識別する（５０２）取り出された手段および前記選択されたフォイルに関連する情報を突き止め、アクセスする（５０３）取り出された手段を、前記選択タイム・テーブル（９０２）に保管する（１６０５）ステップと
を含む方法。
【請求項１１】
前記プレゼンテーションに対して前記選択タイム・テーブルを作成する（１５０１）予備ステップ
を含む、請求項１０に記載の方法。
【請求項１２】
プレゼンテーション・タイム・テーブル（５００）を突き止め、アクセスする手段（７０１）を受け取る（１５０２）準備ステップ
を含む、請求項１０ないし１１のいずれか一項に記載の方法。
【請求項１３】
・フォイルに関連する情報が、１つまたは複数のサーバに配置され、
・フォイルを識別する前記手段（５０２）が、名前または説明あるいはその両方を含み、
・フォイルに関連する情報を突き止め、アクセスする前記手段（５０３）が、ネットワーク内の宛先アドレスを含み、
・前記プレゼンテーション・タイム・テーブル（８０２）が、プレゼンテーション・サーバ（８０３）に配置され、
・前記プレゼンテーション・タイム・テーブル（８０２）を突き止め、アクセスする前記手段（７０１）が、ネットワーク（８０１）内の宛先アドレスを含む
請求項１０ないし１２のいずれか一項に記載の方法。
【請求項１４】
・フォイルに関連する情報が、前記フォイルのコピーを含む
請求項１０ないし１３のいずれか一項に記載の方法。
【請求項１５】
・前記ネットワークが、インターネット・ネットワークであり、
・前記宛先アドレスが、Uniform Resource Locatorであり、
・フォイルに関連する情報が、ウェブ・ページであり、
・前記聴取者デバイスが、ウェブ・ブラウザを含み、
・前記サーバが、ウェブ・サーバである
請求項１０ないし１４のいずれか一項に記載の方法。
【請求項１６】
・フォイルを識別する手段を含み、当該フォイル（１００１）に関連する情報を表示する表示コマンドを受け取る（１６０６）ステップと、
・前記選択タイム・テーブル（１００２）内で、前記フォイルに関連する情報を突き止め、アクセスする手段を識別するステップと、
・前記情報（１１０４）を取り出し（１６０９）、表示するステップと
をさらに含む、請求項１０ないし１５のいずれか一項に記載の方法。
【請求項１７】
請求項１０ないし１６のいずれか一項に記載の方法を実行するように適合された手段を含む聴取者デバイス。
【請求項１８】
請求項１７に記載の前記聴取者デバイスで実行される時に請求項１０ないし１６のいずれか一項に記載の方法を実行する命令を含むコンピュータ・プログラム。
【発明の詳細な説明】
【技術分野】
【０００１】
本発明は、オーディオビジュアル表現で情報のソースにアクセスする手段を一体化する技法に関し、具体的には、聴取者が、プレゼンテーション中に、注意または関心を引いた１つまたは複数の話題を選択でき、前記プレゼンテーションの直後または後刻に、前に選択された話題に関する情報に簡単にアクセスできるようにするシステムおよび方法に関する。
【背景技術】
【０００２】
プレゼンテーション・システムを用いると、電子フォイル（foil）、スライド、またはページを作成でき、これらを組み立てて、表示できるプレゼンテーションを形成することができる。プレゼンテーション・システムは、プレゼンテーション中に、話者の説明を例示し、完成させるために、電子フォイルを選択し、聴衆に表示するのに使用される。具体的に言うと、プレゼンテーション・システムを用いると、グラフィカル・ユーザ・インターフェースまたはキーボードを使用することによって、次のフォイルに進む、前のフォイルに戻る、またはプレゼンテーション内の他のフォイルに移ることができる。話者は、たとえばあるフォイルをスキップして、あるフォイルから別のフォイルにナビゲートして、プレゼンテーションのより関連するフォイルを提示するか、ある聴取者が必要とするフォイルを提示する可能性も有する。
【０００３】
プレゼンテーション・システムは、１つまたは複数のウェブ・サーバに保管されたＨＴＭＬファイルのシーケンスを生成または参照することができ、各ＨＴＭＬファイルは、プレゼンテーション・システムからのハイパーリンクをアクティブ化することによってアクセスされ、前記ハイパーリンクには、ネットワーク内でＨＴＭＬファイルを突き止めるアドレス（たとえば、インターネット・ネットワークのＵＲＬ（Uniform Resource Locator））が含まれる。プレゼンテーション中に、話者は、プレゼンテーションのタイミング、聴取者が示した関心、または他の要因に応じて、ＨＴＭＬフォイルのすべてまたはサブセットを提示することができる。したがって、フォイルおよび関連する話題のプレゼンテーションは、プレゼンテーションがたどる過程および各話題（すなわち、プレゼンテーションの各チャートまたはスライド）に費やされる時間に応じて、順次にまたは他の便利な順序で流すことができる。
【０００４】
通常、プレゼンテーションの聴取者は、ある特定の話題に関心を持ち、自分に関係がないか既に知っていると思われる話題には特に関心を持たない。したがって、非常に頻繁に、聴取者は、プレゼンテーションの途中で、話者によって提示されるフォイルのすべてではなく、興味または注意を引いた話題に関する少数のフォイルだけを選択し、その結果、プレゼンテーションが終わってから、選択されたフォイルを直接に即座にアクセスでき再検討できるようにすることを望む。
【０００５】
したがって、話者に透過的な形で情報を記録すると同時に、メモを取る必要なしに特定の話題への聴衆の注意を記録するシステムおよび方法が必要である。後続の表示のための聴衆によるフォイルの選択は、ボタンを押すなどの単純なものにしなければならず、プレゼンテーション・システムによって提供されるダイナミック・コンテンツを扱うのに十分に柔軟でなければならない。
【非特許文献１】http://tycho.usno.navy.mil/、米国ワシントン州ワシントンのU.S.NavalObservatoryの「Time Service Department」
【非特許文献２】http://time.greenwich2000.com/
【非特許文献３】http://w3.research.ibm.com/present/gto200038.htm
【発明の開示】
【発明が解決しようとする課題】
【０００６】
本発明の目的は、オーディオビジュアル・プレゼンテーションの聴取者が、プレゼンテーションの途中で注意を引いた１つまたは複数の話題を選択でき、即座にまたは後に、前記選択された話題に関連する情報にアクセスし、検索し、表示することを可能にすることである。
【０００７】
本発明のもう１つの目的は、オーディオビジュアル・プレゼンテーションの聴取者が、プレゼンテーションの途中で注意を引いたフォイルを選択でき、即座にまたは後に、前記選択されたフォイルまたは前記選択されたフォイルに関連する情報にアクセスし、検索し、表示することを可能にすることである。
【０００８】
本発明のもう１つの目的は、プレゼンテーションの聴取者が、その聴取者の側での最小限の労力およびかかわりでフォイルを選択できるようにすることである。
【課題を解決するための手段】
【０００９】
本発明は、独立請求項で定義される、聴取者がプレゼンテーションの途中で自分の注意または関心を引いた１つまたは複数の話題を選択でき、前記プレゼンテーションの直後または後刻に、選択された話題に関する情報に簡単にアクセスできるようにするシステム、方法、およびコンピュータ・プログラムに関する。
【００１０】
このシステムは、同一の世界時に従って聴取者デバイス（たとえば、ワークステーション、ポータブル・コンピュータ、ウェアラブル・コンピュータ、携帯情報端末（ＰＤＡ）、ＷＡＰ対応携帯電話機、スマート・ホン、または他のタイプのハンドヘルド・コンピューティング・デバイス）と話者デバイスを同期化し、その結果、聴取者によって話題が選択された時刻を、対応するプレゼンテーション・フォイルが話者によって提示されていたタイム・インターバルと相関できるようにすることに基づく。本発明の好ましい実施形態では、話者デバイスと聴取者デバイスの間の同期化が、ＧＰＳ−ｔｉｍｅ（Global Positioning System Time）、ＧＬＯＮＡＳＳ（Global Orbiting NavigationalSatellite System）時間、または衛星システムに基づく別の適当な世界時などの世界時を参照して行われる。ＧＰＳ受信器またはＧＬＯＮＡＳＳ受信器が、話者デバイスに一体化されるか接続される。ＧＰＳ受信器またはＧＬＯＮＡＳＳ受信器が、各聴取者デバイスに一体化されるか接続される。各聴取者デバイスは、話者ワークステーションから独立し、別々である。
【００１１】
このシステムは、ネットワークを介して話者ワークステーションからアクセス可能な１つまたは複数のサーバに配置された複数のハイパーリンクされたＨＴＭＬ文書にも基づく。フォイルが、記録される世界時インターバル中に話者によって選択される。提示される話題に対する関心に応じて、１つまたは複数のフォイルを、プレゼンテーションの途中に各聴取者が選択することができる。
【００１２】
具体的に言うと、本発明は、１つまたは複数のフォイルのプレゼンテーション中にプレゼンテーション・タイム・テーブルを話者デバイスから生成するシステム、方法およびコンピュータ・プログラムを開示し、前記プレゼンテーション・タイム・テーブルは、１つまたは複数の聴取者によってアクセス可能である。この方法には、
・１つまたは複数のフォイルを識別する手段と、
・前記１つまたは複数のフォイルのそれぞれに関連する情報を突き止め、アクセスする手段と、
・プレゼンテーション・タイム・テーブルを突き止め、アクセスする手段と
を含む、プレゼンテーション・ハイパーリンク・テーブルを突き止め、アクセスするステップと、
・プレゼンテーション・ハイパーリンク・テーブルを使用してプレゼンテーション・タイム・テーブルを突き止め、アクセスするステップと、
提示されるフォイルごとに、
・プレゼンテーション・ハイパーリンク・テーブル内で提示されるフォイルを識別し、
・前記フォイルの前記プレゼンテーションに対応する世界時インターバルを判定し、
・前記プレゼンテーション・タイム・テーブルに新しいレコードを作成し、
・前記新しいレコードに、
・前記提示されたフォイルに対応する世界時インターバルと、
・前記プレゼンテーション・ハイパーリンク・テーブルから取り出される、前記提示されたフォイルを識別する手段と、
・前記プレゼンテーション・ハイパーリンク・テーブルから取り出される、前記提示されたフォイルに関連する情報を突き止め・アクセスする手段と
をコピーするステップと
が含まれる。
【００１３】
本発明は、さらに、１つまたは複数のフォイルのプレゼンテーション内の１つまたは複数のフォイルを聴取者デバイスから選択し、後刻に、前記１つまたは複数の選択されたフォイルのそれぞれに関連する情報にアクセスするシステム、方法およびコンピュータ・プログラムであって、
・現在提示されているフォイルを選択する選択コマンドが受け取られるたびに、
・現在の世界時を判定し、
・前記現在の世界時を選択タイム・テーブルに記録するステップと
・１つまたは複数の聴取者デバイスによってアクセス可能なプレゼンテーション・タイム・テーブルであって、提示されるフォイルごとに、
・前記フォイルの提示に対応する世界時インターバルと、
・前記提示されるフォイルを識別する手段と、
・前記提示されるフォイルに関連する情報を突き止め、アクセスする手段と
を含むプレゼンテーション・タイム・テーブルにアクセスするステップと、
・前記選択タイム・テーブルに記録された世界時ごとに、
・前記記録された世界時に選択された前記フォイルを前記プレゼンテーション・タイム・テーブル内で識別し、
・前記プレゼンテーション・タイム・テーブルから、前記選択されたフォイルを識別する前記手段および前記選択されたフォイルに関連する情報を突き止め、アクセスする前記手段を取り出し、
・前記選択されたフォイルを識別する取り出された手段および前記選択されたフォイルに関連する情報を突き止め、アクセスする取り出された手段を、前記選択タイム・テーブルに保管するステップと
を含む方法を開示する。
【００１４】
本発明のさらなる実施形態は、従属請求項で提供される。
【００１５】
前述は、本発明の他の目的、特徴、および長所と共に、以下の説明、請求項、および図面を参照してよりよく諒解することができる。
【００１６】
本発明の特徴を表すと思われる新規の発明的特徴は、請求項に示されている。しかし、本発明自体およびその使用の好ましい態様、さらなる目的、および長所は、添付図面と共に読まれる時に、下記の例示的な詳細な実施形態の詳細な説明を参照することによって最もよく理解される。
【発明を実施するための最良の形態】
【００１７】
図１からわかるように、プレゼンテーションに出席する各聴取者（１００）は、興味のある１つまたは複数の特定の話題を有する。ある瞬間に、この聴取者が、話者（１０２）が言っていること（１０３）またはプレゼンテーション・スクリーン（１０４）に表示されたものに特に興味を持つが、他の瞬間に、この聴取者は、提示される話題が、既知であるか、興味がないか、無関係であると考える場合がある。これらの状況で、聴取者（１００）が、プレゼンテーションの途中に興味を引いた話題を排他的に（たとえば、「French Red Wines（フランス産赤ワイン）」に関する長いプレゼンテーション中に「Pomerol（ポムロル）」、「Medoc（メドック）」、および「Bourgogne（ブルゴーニュ）」のワインに関する情報を排他的に）選択できるようにし、後刻に、選択された話題に関連する情報、特に話者によって提示されたフォイルに含まれる情報および選択された話題に関する情報にアクセスできるようにする単純な機構を提供する必要がある。
【００１８】
図２に示された本発明の原理は、話者ワークステーション（２０２）（すなわち、プレゼンテーション・スクリーン（２０３）に接続された話者（２０１）の制御下のコンピューティング・システム）と聴取者デバイス（２０４）（たとえば、ＰＤＡ、ハンドヘルド・コンピュータ、ウェアラブル・コンピュータ、スマート・ホン）の同一の世界時への同期化に基づく。本発明の好ましい実施形態では、話者ワークステーション（２０２）および聴取者のデバイス（２０４）が、Global Positioning System Time（ＧＰＳ−ｔｉｍｅ）、Global OrbitingNavigationalSatellite System（ＧＬＯＮＡＳＳ）時間、または衛星システムに基づく別の適当な世界時などの世界時システム（２０５）に従って同期化される。ＧＰＳ受信器またはＧＬＯＮＡＳＳ受信器（２０７）が、話者ワークステーション（２０２）に一体化または接続される。聴取者の側では、ＧＰＳ受信器またはＧＬＯＮＡＳＳ受信器（２０８）を、聴取者（２００）のデバイス（２０４）（たとえば、ウェアラブル・コンピュータ、携帯情報端末（ＰＤＡ）、スマート・ホン、または他のハンドヘルド・コンピューティング・デバイス）に一体化または接続することができる。聴取者デバイス（２０４）は、独立であり、話者ワークステーション（２０２）に接続されず、これと通信しない。
【００１９】
図１２に、聴取者（６００）によって生成されるイベント（１２０２）（聴取者による第１および第２の話題の選択に対応する世界時Ｔａ、Ｔｂなど）を話者（６０２）によって生成されるイベント（１２０１）（話者によるフォイル１およびフォイル３の提示に対応する世界時（Ｔ１、Ｔ２）、（Ｔ３、Ｔ４）など）とどのように相関できるかを示す。この独立のイベントの相関は、話者ワークステーション（２０２）と聴取者デバイス（２０４）の世界時（２０５）による同期化に基づく。この相関によって、プレゼンテーション中に聴取者によって選択されたフォイルの識別が可能になる。
【００２０】
ユニバーサル・タイミング・システム（Universal Timing Systems）
送信器および受信器の位置と独立のタイミング・シーケンスを、たとえばGlobalPositioning System（ＧＰＳ）時間または協定世界時（ＵＴＣ）時間（現在はＧＭＴ時間またはＺＵＬＵ時間とも称する）などの絶対タイミング基準から導出することができる。
【００２１】
正確なタイミング信号を送信するために、ＧＰＳは、地上１６０００ｋｍ（１００００マイル）の５５°傾いた軌道の２４個の衛星を使用する。これらのタイミング信号は、地球上のＧＰＳ受信器によって、その位置を判定するのに使用される。１５７５ＭＨｚ送信によって、Ｃ／Ａ（clear acquisition）コードと称する１ＭＨｚ帯域幅の位相変調信号が搬送される。ＧＰＳ受信器が、少なくとも３つのＧＰＳ衛星からこの信号を受信する時に、そのＧＰＳ受信器は、約３０ｍの精度でそれ自体の緯度および経度を判定することができる。地理的位置の判定とは別に、ＧＰＳは、現在、ＰＴＴＩ（PreciseTime and Time Interval）の配布に広く使用されている。このシステムは、位置の判定に、到達時刻（ＴＯＡ）を使用する。同時に視野の中にある４つの衛星のＴＯＡの測定によって、位置のほかに時刻が入手されるので、正確なタイミングのクロックは、ユーザに必須ではない。海抜高度が既知の場合には、３つの衛星で十分である。ユーザが、既知の位置で静止している場合に、原則として、単一の衛星の観察によって時刻を入手することができる。ＧＰＳタイム・サービスに関する情報は、米国ワシントン州ワシントンのU.S.NavalObservatoryの「Time Service Department」によってhttp://tycho.usno.navy.mil/で供給される。
【００２２】
ＧＰＳは、現在、正確な時刻の、世界の主要な供給元である。ＧＰＳは、時刻のソースおよびある地方時から別の地方時への時刻の変換の手段の両方として広く使用されている。ＧＰＳからは、ＧＰＳ時間、United States Naval Observatoryによって推定され、作られるＵＴＣ、および各自由に動作するＧＰＳ衛星の原子時計からの時刻の３種類の時刻が入手可能である。米国コロラド州コロラド・スプリング近郊のFalconAir Force BaseのMaster Control Station（ＭＣＳ）が、全世界の５つの監視ステーションからのＧＰＳ衛星のデータを収集する。カルマン・フィルタ・ソフトウェア・プログラムによって、衛星のそれぞれおよびその動作クロックの時刻誤差、周波数誤差、周波数ドリフト、およびケプラー軌道パラメータが推定される。この情報が、各衛星にアップロードされ、その結果、この情報をリアル・タイムで放送することができる。この処理によって、星座にまたがって数ナノ秒以内のＧＰＳ時間一貫性と、数ｍ以内の衛星の正確な位置判定がもたらされる。
【００２３】
第２の世界時標準である協定世界時（ＵＴＣ）によって、地球の回転と同期化されたままの閏秒が導入される。ＧＰＳ信号から導出可能なＵＴＣ時刻の推定を提供するために、１組のＵＴＣ訂正も、ＧＰＳ放送信号の一部として提供される。この放送メッセージに、ＧＰＳ時間とＵＴＣの間の秒単位の時間差が含まれる。これによって、データ・ストリームの滑らかな流れを扱うか、データ・サンプルの間の時間を計算するソフトウェアが複雑になる。ＧＰＳ時間は、閏秒の導入がなく、ＵＴＣに簡単に関連付けられるので、本発明に好ましい。ＵＴＣ（ＧＭＴ）タイム・サービスに関する情報は、http://time.greenwich2000.com/にある。
【００２４】
ＧＰＳ受信器
ダイレクトトゥディジタル（Direct-to-Digital）ＧＰＳ受信器は、ウェブ・サイトhttp://w3.research.ibm.com/present/gto200038.htmに記載されている。これは、ＧＰＳをあらゆるもの（たとえば、ＰＤＡ、携帯電話機、ウェアラブル・コンピュータ、ビデオ・カメラ）に一体化できるようにする小さい低コスト・チップの例である。この受信器は、ＩＢＭ社とＬｅｉｃａ社の間で共同開発された。ＳｉＧｅ技術の高速アナログ性能が、ＣＭＯＳ技術と一体化された時に、ディジタルＧＰＳ（全地球測位システム）受信器へのこの単一チップの直接の統合が可能になる。ＧＰＳによって導出される位置情報は、地図作成および調査から、車両追跡、９１１セル電話機発呼者位置、自動化農業機器、ロボット・ゴルフ・カートまで、複数の別個の応用例を見出しつつある。この受信器チップによって、ラジオの寸法および複雑さが減る。アナログ・ミキサ段がなく、普通の２段アナログ・ダウン・コンバージョンで必要になる高コストのディスクリート構成要素（高品位フィルタなど）もない。その代わりに、着信ＧＰＳ信号が、文字どおりアンテナですぐにディジタル化され、ＣＭＯＳベースのチップ内でディジタル・フィルタリングされる。この直接ディジタル化は、非常にわずかな電力で高速で動作するＳｉＧｅ技術の能力によって可能にされ、この技術の核心が、ＳｉＧｅベースのアナログ・ディジタル・データ変換器である。
【００２５】
本発明によれば、ＧＰＳ受信器またはＧＬＯＮＡＳＳ受信器を、話者ワークステーション（２０２）（たとえばパーソナル・コンピュータ）および聴取者デバイス（２０４）（たとえば、ウェアラブル・コンピュータ、携帯情報端末（ＰＤＡ）、スマート・ホン、ＷＡＰ対応電話機、ゲーム機）に一体化するか、接続しなければならない。ＧＰＳ衛星またはＧＬＯＮＡＳＳ衛星から受信されるユニバーサル・タイミング信号が、同一の世界時による内部電子クロッキング・システムの初期化および同期化に使用される。ＧＰＳ衛星またはＧＬＯＮＡＳＳ衛星が視界外であり（たとえば、ユーザのデバイスが、建物の中にあるか、外部アンテナに接続されていない時）、したがってタイミング信号がこれらの衛星から受信されない期間中に、タイミング情報を、これらのデバイスの自律電子クロッキング・システムから継続的に導出しなければならない。デバイス内でセット・アップされたクロッキング・システムのドリフトに応じ、十分なタイミング精度を保ち、聴取者デバイスおよび話者ワークステーションが同一の世界時で同期化されることを保証するために、衛星信号の多少頻繁な受信を実行しなければならない。実際には、
・ユーザ・デバイスがポータブルである場合には、ユーザが戸外にいるか移動しつつある時に衛星信号を受信する。
・ユーザ・デバイスが長い期間の間家または建物の中に固定されるか設置される場合には、ユーザ・デバイスを、戸外に設置されたＧＰＳアンテナまたはＧＬＯＮＡＳＳアンテナ（たとえば、建物の屋根に設置されたアンテナ）に接続しなければならない。
【００２６】
プレゼンテーション・ハイパーリンク・テーブル
図３からわかるように、本発明の好ましい実施形態によるプレゼンテーションは、１つまたは複数のウェブ・サーバに保管されたＨＴＭＬフォイルの組として構成される。これらのウェブ・サーバは、好ましくは話者ワークステーション（２０２）に保管されるプレゼンテーション・ハイパーリンク・テーブル（３００）で参照される。プレゼンテーション・フォイルごとに、プレゼンテーション・ハイパーリンク・テーブルに、下記がエンコードされる。
・フォイル番号（３０１）、
・フォイル名または短いタイトル（３０２）、および
・ＨＴＭＬフォイル（またはフォイルに関連する情報）をインターネット・ネットワーク上で見つけることができるネットワーク・アドレス（すなわちＵＲＬ）（３０３）。
【００２７】
図３に、「Robert Durand」と称する話者によって提示される、「FrenchRed Wines」と題するプレゼンテーションのプレゼンテーション・ハイパーリンク・テーブル（３００）の例を示す。プレゼンテーション中に、話者によって提示されるフォイルのシーケンスが、ＵＲＬ（３０４）Http://www.directbuyer.com/presentation-0173.htm/のプレゼンテーション・サーバに配置されるプレゼンテーション・タイム・テーブルに保管される。
【００２８】
たとえば、話者が、「Bourgogne」（３０２）という名前のフォイル番号「１４」（３０１）を選択する時に、ＵＲＬアドレス（３０３）http://www.french-wines.com/bourgogne.htmへのハイパーリンクがアクティブ化される。ＨＴＭＬフォイルが、このネットワーク・アドレスから取り出され、聴衆に示される。
【００２９】
【表１】
2005528702.tif 000003
【００３０】
話者ワークステーションでプレゼンテーション・ハイパーリンク・テーブルを作成する方法
図１３からわかるように、本発明では、プレゼンテーションのプレゼンテーション・ハイパーリンク・テーブル（３００）（前の例で説明した「French Red Wines」というプレゼンテーションに似る）を作成し、フォイルにアクセスできるネットワーク（４０４）（すなわちインターネット・ネットワーク）に接続された１つまたは複数のサーバ（４０３）（すなわち、ウェブ・サーバ）へのハイパーリンク（３０３）をこのプレゼンテーション・ハイパーリンク・テーブルで定義する方法を開示する。これらのハイパーリンクは、聴取者によって使用されて（３０１）、サーバのプレゼンテーションのフォイル（すなわち、ウェブ・ページ、ＨＴＭＬフォイル）にアクセスすることができる。
【００３１】
話者デバイスでプレゼンテーション・ハイパーリンク・テーブルを作成し、前記プレゼンテーション・ハイパーリンク・テーブル内でフォイルにアクセスできる１つまたは複数のサーバへのハイパーリンクを定義する方法に、下記のステップが含まれる。
・（１３０１）ヘッダ（３０５）を含む新しいプレゼンテーション・ハイパーリンク・テーブル（３００）を作成するステップと、
・プレゼンテーション・サーバでプレゼンテーション・タイム・テーブルを突き止め、アドレスにアクセスする手段（たとえばネットワーク内のＵＲＬ）（３０４）を前記プレゼンテーション・ハイパーリンク・テーブルに割り当てるステップと、
・前記突き止め、アクセスする手段をプレゼンテーション・ハイパーリンク・テーブル内、好ましくはヘッダ（３０５）にコピーするステップと、
プレゼンテーションの新規作成されるフォイルごとに、
・（１３０２）プレゼンテーション・ハイパーリンク・テーブル内でレコードを新規作成するステップと、
・（１３０３）フォイルを識別する手段（３０２）（名前（３０２）または短い説明あるいはその両方）を割り当てるステップと、
・前記識別する手段を前記レコードにコピーするステップと、
・（１３０４）前記フォイルにアクセスできる、前記フォイルを突き止め、アクセスする手段、好ましくは宛先アドレス（３０３）（たとえばネットワーク内のＵＲＬ）を割り当てるステップと、
・前記突き止め、アクセスする手段（３０３）を前記レコードにコピーするステップ。
【００３２】
プレゼンテーション・サーバでプレゼンテーション・タイム・テーブルを生成する方法
図４からわかるように、本発明では、プレゼンテーション中にプレゼンテーション・サーバ（４０７）でプレゼンテーション・タイム・テーブル（４０８）を生成する方法も開示される。話者（４００）が、話者のワークステーション（４０２）で稼動するプレゼンテーション・ソフトウェア・アプリケーションを使用してＨＴＭＬフォイルを選択する。話者が新しいフォイル（たとえば、ＨＴＭＬフォイル番号「１４」、名前「Bourgogne」）を選択する（４０１）たびに、選択されたＨＴＭＬフォイルに対応するＵＲＬ（たとえばhttp://www.french-wines.com/bourgogne.htm）が、プレゼンテーション・ハイパーリンク・テーブル（３００）から取り出される。次いで、選択されたＨＴＭＬフォイルに関連するハイパーリンクが、話者ワークステーションのブラウザ・プログラムを使用してアクティブ化される。次いで、選択されたＨＴＭＬフォイル（４０５）が、ネットワーク（４０４）を介してアクセスされ、ウェブ・サーバ（４０３）から取り出され、プレゼンテーション・スクリーン（４０６）で聴取者に提示される。
【００３３】
図４には、話者が新しいＨＴＭＬフォイルを選択する（４０１）たびに、この選択に対応する世界時インターバル（４０９）が、話者ワークステーション（４０２）に接続されたＧＰＳ受信器を使用してどのように判定されるかも示されている。選択されたＨＴＭＬフォイルの名前（３０２）およびＵＲＬ（３０３）が、プレゼンテーション・ハイパーリンク・テーブル（３００）から取り出され、対応する世界時インターバル（４０９）と共にプレゼンテーション・サーバ（４０７）に送信され、前記プレゼンテーション・サーバに配置されたプレゼンテーション・タイム・テーブル（４０８）にコピーされる。プレゼンテーション・タイム・テーブル（４０８）のＵＲＬが、プレゼンテーション・ソフトウェア・アプリケーションを使用してプレゼンテーション・ハイパーリンク・テーブル（３００）のヘッダから取り出される（３０４）。この例では、ＵＲＬ、http://www.directbuyer.com/presentation-0173.htm/が、プレゼンテーション・サーバ（www.directbuyer.com）に保管されたプレゼンテーション・タイム・テーブル（presentation-0173.htm）のネットワーク・アドレスである。話者は、プレゼンテーションの前に、プレゼンテーション・タイム・テーブルのＵＲＬ（３０４）を聴衆に与えなければならない。
【００３４】
具体的に言うと、図１４からわかるように、１つまたは複数のフォイルのプレゼンテーション中にプレゼンテーション・サーバ（４０７）上のプレゼンテーション・タイム・テーブル（４０８）を話者デバイス（４０２）から生成する方法に、下記のステップが含まれる。
・１つまたは複数のフォイル（各フォイルが名前（３０２）または短い説明あるいはその両方によって識別されることが好ましい）を識別する手段（３０２）と、
・前記１つまたは複数のフォイルを突き止め、アクセスする手段（３０３）（宛先アドレス（３０３）、たとえばネットワーク内のＵＲＬであることが好ましい）と、
・プレゼンテーション・サーバ（４０７）でプレゼンテーション・タイム・テーブル（４０８）を突き止め、アクセスする手段（３０４）と
を含むプレゼンテーション・ハイパーリンク・テーブルであって、話者デバイス（４０２）に保管されることが好ましいプレゼンテーション・ハイパーリンク・テーブル（３００）を突き止め、アクセスするステップと、
・（１４０１）プレゼンテーション・サーバ（４０７）でプレゼンテーション・タイム・テーブル（４０８）を突き止め、アクセスするステップと、
提示されるフォイルごとに、
・（１４０２）プレゼンテーション・ハイパーリンク・テーブル内で提示されるフォイルを識別する（４０１）ステップと、
・（１４０３）世界時デバイス（たとえばＧＰＳ受信器）によってフォイルのプレゼンテーションに対応する世界時インターバル（４０９）を判定するステップと、
・（１４０４）プレゼンテーション・サーバ（４０７）で突き止められたプレゼンテーション・タイム・テーブル（４０８）でレコードを新規作成するステップと、
・（１４０５）前記新しいレコードに、
・提示されたフォイルに対応する世界時インターバル（５０１）と、
・プレゼンテーション・ハイパーリンク・テーブルから取り出された、提示されたフォイルを識別する手段（５０２）と、
・プレゼンテーション・ハイパーリンク・テーブルから取り出された、提示されたフォイルを突き止め、アクセスする手段（３０３）と
をコピーするステップ。
【００３５】
図５に（および次の表に）、プレゼンテーションの終りにプレゼンテーション・サーバ（４０７）に保管されているプレゼンテーション・タイム・テーブル（５００）の例を示す。
【００３６】
【表２】
2005528702.tif 000004
【００３７】
プレゼンテーション・タイム・テーブルのヘッダ部分（５０４）は、話者ワークステーションに配置されるプレゼンテーション・ハイパーリンク・テーブル（３００）のヘッダ（３０５）と同一であり、これから直接にコピーされる。テーブルの各行は、話者によって選択されたプレゼンテーションのフォイル（３００）に対応する。選択されたフォイルごとに、プレゼンテーション・タイム・テーブルの３列が、それぞれ下記に対応する。
・（５０１）ＨＴＭＬフォイルが話者によって選択された時の世界時インターバル。
・（５０２）選択されたＨＴＭＬフォイルのタイトル（あるいは短い名前または短い説明）。
・（５０３）選択されたＨＴＭＬフォイルのアドレスまたはＵＲＬ。
【００３８】
興味のある話題を選択する方法
図６に示された例では、プレゼンテーション（たとえば、「French RedWines」という題名のプレゼンテーション）の途中に、聴取者（６００）が、独立モード（すなわち、分離され、ネットワークに接続されない）でポータブル・ワークステーション（６０１）を使用する。この図に示された特定の実施形態では、聴取者（６００）が、話者（６０２）によって行われるプレゼンテーション中に、興味のある話題（６０４）を知覚する（６０３）たびに、聴取者のポータブル・ワークステーション（６０１）の予約されたキーを単純に押す（６０５）ことによってこの話題を選択する。興味のある話題が聴取者によって選択された時の世界時（６０６）が、聴取者ワークステーション（６０１）上の選択タイム・テーブルにローカルに保管される。
【００３９】
図１５に、プレゼンテーションで、１つまたは複数の興味のある話題に対応する１つまたは複数のフォイルを選択し、前記選択されたフォイルに後刻にアクセスする方法のステップを示す。興味のある特定の話題を選択するために、プレゼンテーションの聴取者（６００）は、下記を行う。
・（１５０１）聴取者のワークステーション（６０１）で、プレゼンテーションの選択タイム・テーブルを作成し、
・（１５０２）話者デバイス（６０２）から、プレゼンテーション・サーバ（４０７）上のプレゼンテーション・タイム・テーブル（５００）を突き止め、アクセスする手段（３０４）、好ましくは宛先アドレス（たとえば、ネットワーク内のＵＲＬ）を受け取り、
・（１５０３）聴取者のワークステーション（６０１）に、プレゼンテーション・タイム・テーブル（５００）を突き止め、アクセスする前記手段（３０４）を保管し、
・（１５０４）プレゼンテーション中に、後刻に対応するフォイルを再検討することを望む興味のある話題（６０４）を知覚し（聞くか見る）、
・（１５０５）聴取者のワークステーション（６０１）で選択コマンド（６０５）を入力することによって、興味のある話題に対応するフォイルを選択し、
・（１５０６）聴取者のワークステーションに一体化されるか接続された世界時デバイス（たとえばＧＰＳ受信器）によって現在の世界時（６０６）を判定し、
・（１５０７）選択タイム・テーブルに現在の世界時を記録する。
【００４０】
下の表および図７に、プレゼンテーション（たとえば、「French Red Wines」に関するプレゼンテーション）の途中に聴取者ワークステーション（６０１）で作成される選択タイム・テーブルの例を示す。このテーブルの各行は、第１列に記録される世界時に話者によって提示されたフォイルの聴取者による選択に対応する。この表のヘッダ・セクションに、聴取者が、プレゼンテーション・タイム・テーブルのＵＲＬ（７０１）（たとえばhttp://www.directbuyer.com/presentation-0173.htm/）をコピーしている。このＵＲＬは、事前に、プレゼンテーションの前に、話者によって聴取者に与えられる。
【００４１】
【表３】
2005528702.tif 000005
【００４２】
選択されたフォイルにアクセスし、これを表示する方法
聴取者（６００）が、プレゼンテーション（たとえば「French Red Wines」という題名のプレゼンテーション）中に１つまたは複数の興味のある話題（６０４）を選択し、その選択された話題に対応する世界時（６０６）が、図１６に記載の方法によって聴取者ワークステーション（６０１）の選択タイム・テーブル（７００）に保管されるか記録されたならば、聴取者または見る人は、選択されたフォイルに関連する名前およびＵＲＬをプレゼンテーション・サーバ（８０３）から取り出すことができる。取り出された名前およびＵＲＬは、聴取者ワークステーション（６０１）の選択タイム・テーブル（７００）にローカルに保管される。更新された選択タイム・テーブルから、聴取者は、前記フォイルのどれでも選択し、取り出し、表示することができる。プレゼンテーションの聴取者がワークステーションから選択されたフォイルにアクセスし、表示する方法には、下記のステップが含まれる。
・（１６０１）ワークステーション（８００）から、プレゼンテーション・サーバ（８０３）のプレゼンテーション・タイム・テーブル（８０２）にアクセスするステップと、
・（１６０２）ワークステーション（８００）で突き止められた選択タイム・テーブル（７００）に記録された選択の世界時をプレゼンテーション・サーバ（８０３）に送信するステップと、
・（１６０３）プレゼンテーション・タイム・テーブル内で、その世界時に提示されたフォイルを検索するステップと、
・（１６０４）プレゼンテーション・サーバ（８０３）から、選択されたフォイルを識別する手段（名前または説明）（５０２）および関連するＵＲＬ（５０３）を取り出すステップと、
・（１６０５）取り出されたフォイル名およびＵＲＬを選択タイム・テーブル（９０２）に保管するステップと。
この方法には、下記のさらなるステップも含まれる。
・（１６０６）選択タイム・テーブル（１００２）からフォイル（１００１）を選択するステップと、
・（１６０７）ブラウザ・プログラムを使用してワークステーションからハイパーリンク（１００３）をアクティブ化するステップと、
・（１６０８）ネットワーク（１１０３）（好ましくはインターネット・ネットワーク）を介してサーバ（１１０２）（好ましくはウェブ・サーバ）上のフォイルにアクセスするステップと、
・（１６０９）ブラウザ・プログラム（１１００）を使用して、ネットワーク（１１０１）からフォイル（１１０４）を取り出し、ワークステーション上で表示するステップ。
【００４３】
図８、９、１０、および１１に、本発明の方法による異なるステップを示す。図８からわかるように、プレゼンテーション（たとえば、「French Red Wines」のプレゼンテーション）が終わる時に、聴取者は、聴取者のワークステーション（８００）を通信ネットワーク（たとえば、インターネット・ネットワーク（８０１））に接続する。聴取者のワークステーションで稼動するソフトウェア・アプリケーションによって、プレゼンテーション・サーバ（８０３）のプレゼンテーション・タイム・テーブル（８０２）が、アクセスされ、聴取者のワークステーション（８００）にローカルに保管された選択タイム・テーブル（８０４）が、更新される。
【００４４】
図９に、プレゼンテーション・サーバ（８０３）に配置されたプレゼンテーション・タイム・テーブル（９０１）に保管された情報を使用する、聴取者ワークステーション（８００）で選択タイム・テーブル（９００）を更新する処理を示す。基本的に、選択タイム・テーブル（９００）に記録された世界時ごとに、その時に話者によって提示されていたＨＴＭＬフォイルの名前およびＵＲＬが、プレゼンテーション・タイム・テーブル（９０１）で識別され、選択タイム・テーブル（９０２）に保管される。次の表に、この処理によって更新された選択タイム・テーブルを示す。
【００４５】
【表４】
2005528702.tif 000006
【００４６】
図１０に、聴取者が、聴取者のワークステーション（１０００）から、前にプレゼンテーション中に選択されたＨＴＭＬフォイルをどのように選択し、アクセスするかを示す。基本的に、聴取者は、更新された選択タイム・テーブル（１００２）でＨＴＭＬフォイル（１００１）をポイントし、選択する。聴取者のワークステーション（１０００）に配置されたソフトウェア・アプリケーションによって、聴取者は、選択された項目のＵＲＬをポイントするハイパーリンク（１００３）をアクティブ化する。図１０に示された例では、聴取者が、関心のある話題「Medoc」（１００１）（実際にはフランス赤ワインの名称）を選択し、ＵＲＬ：http://www.french-wines.com/medoc.htmをポイントするハイパーリンク（１００３）をアクティブ化する。
【００４７】
最後に、図１１に、選択タイム・テーブルで選択された項目（１００１）（たとえば「Ｍｅｄｏｃ」）に関連するＨＴＭＬフォイル（１１０１）（たとえばmedoc.htm）が、どのようにしてネットワーク（１１０３）を介してウェブ・サーバ（１１０２）（たとえばwww.french-wines.com）から受け取られ、最終的に聴取者ワークステーション（１１００）で表示される（１１０４）かを示す。
【００４８】
前の例では、聴取者が、プレゼンテーションの後に、前にそのプレゼンテーションの途中で選択されたフォイルにアクセスできることを示した。実際には、聴取者が、プレゼンテーション中（たとえば、話者がフォイル「Bourgogne wines」を提示している間）に興味のある話題を選択する時に、そのプレゼンテーションが終了した時に聴取者が取り出すことのできる選択された話題（「Bourgognewines」）に関連する情報は、
・選択が行われた時に提示されていたＨＴＭＬフォイル。
・La Bourgogneおよびこの地域からのワインに関する説明（地理、歴史、経済、農業）を含む長い（ＨＴＭＬ）文書。
・「Les vins de laBourgogne」に関する複数のウェブ文書またはマルチメディアへの参照（ハイパーリンク）のリスト。
上記である可能性がある。
【００４９】
本発明を、好ましい実施形態に関して具体的に図示し、説明したが、本発明の趣旨および範囲から逸脱せずに、形態および詳細においてさまざまな変更を行えることを理解されたい。
【図面の簡単な説明】
【００５０】
【図１】話者に聞き入り、プレゼンテーション・フォイルを見る時に、プレゼンテーションの聴取者が興味のある話題をどのように知覚するかを示す図である。
【図２】たとえばＧＰＳ（Global Positioning System）時間などの同一の世界時による話者ワークステーションと聴取者ワークステーションの同期化に基づく本発明の原理を示す図である。
【図３】プレゼンテーション・ハイパーリンク・テーブル内で参照されるＨＴＭＬフォイルのシーケンスを含む、本発明によるプレゼンテーションを示す図である。
【図４】本発明に従って、話者ワークステーションがプレゼンテーション・ハイパーリンク・テーブルをどのように使用してＨＴＭＬフォイルを選択するか、これらのＨＴＭＬフォイルがどのように受け取られ、提示されるか、および話者によるこれらのＨＴＭＬフォイルのプレゼンテーションに対応する世界時がどのようにプレゼンテーション・タイム・テーブルに保管されるかを示す図である。
【図５】本発明に従って、プレゼンテーション中に生成され、プレゼンテーション・サーバに保管されるプレゼンテーション・タイム・テーブルの例を示す図である。
【図６】本発明に従って、プレゼンテーション中に、聴取者が自分のワークステーションのキーを押すことによってどのようにして話題を選択するかを示す図である。
【図７】本発明に従って、話題が聴取者によって選択された時の世界時が、聴取者ワークステーションに配置された選択タイム・テーブルにどのように保管されるかを示す図である。
【図８】プレゼンテーションが終了する時に、聴取者が、プレゼンテーション・サーバに保管されたプレゼンテーション・タイム・テーブルから自分のワークステーションに配置された選択タイム・テーブルをどのように更新するかを示す図である。
【図９】本発明に従って、話者によって提示され、聴取者によって選択されたＨＴＭＬフォイルの名前およびＵＲＬが、プレゼンテーション・サーバに配置されるプレゼンテーション・タイム・テーブルからどのように識別され、取り出されるかと、聴取者ワークステーションに配置された選択タイム・テーブルがどのように更新されるかを示す図である。
【図１０】本発明に従って、更新された選択タイム・テーブルから、聴取者が、選択されたＨＴＭＬフォイルへのハイパーリンクをどのようにアクティブ化するかを示す図である。
【図１１】選択された項目に対応するプレゼンテーションＨＴＭＬフォイルが、どのようにウェブ・サーバから受け取られ、聴取者デバイスに表示されるかを示す図である。
【図１２】話者によって提示されるフォイルおよび聴取者によって行われる選択が、同一のユニバーサルタイミング・システムを使用してどのように相関されるかを示す図である。
【図１３】本発明による、話者ワークステーションでプレゼンテーション・ハイパーリンク・テーブルを作成する方法のステップを示す図である。
【図１４】本発明による、プレゼンテーション中にプレゼンテーション・サーバのプレゼンテーション・タイム・テーブルを作成する方法のステップを示す図である。
【図１５】本発明による、プレゼンテーション中に１つまたは複数の関心のある話題を選択する方法のステップを示す図である。
【図１６】本発明による、プレゼンテーション中に、選択された話題に関連する情報にアクセスする方法のステップを示す図である。
【図１】
2005528702.tif 000007
【図２】
2005528702.tif 000008
【図３】
2005528702.tif 000009
【図４】
2005528702.tif 000010
【図５】
2005528702.tif 000011
【図６】
2005528702.tif 000012
【図７】
2005528702.tif 000013
【図８】
2005528702.tif 000014
【図９】
2005528702.tif 000015
【図１０】
2005528702.tif 000016
【図１１】
2005528702.tif 000017
【図１２】
2005528702.tif 000018
【図１３】
2005528702.tif 000019
【図１４】
2005528702.tif 000020
【図１５】
2005528702.tif 000021
【図１６】
2005528702.tif 000022
【国際調査報告】
2005528702.tif 000023
2005528702.tif 000024
2005528702.tif 000025